(57)【要約】      （修正有）【課題】飛翔花火（例えばロケット花火など）を本体装置に簡単且つ短時間に装填して、飛翔花火を所定方向に安全且つ確実に発射する飛翔花火発射装置を提供する。【解決手段】一又は複数個の一端部が開口した中空筒体１，２と、この中空筒体を保持する把持体６とを具備し、前記中空筒体周面の、飛翔花火導火線側を前記中空筒体の開口一端部から挿入して装填された該飛翔花火の導火線に位置する部分に、開口部３を設け、この開口部近傍の前記把持体側に飛翔花火の導火線からの火花を遮蔽する遮蔽体５を設ける構成又はこれらに指示部を設ける構成を採用した。【選択図】図１
0003167027.tif 000002
【実用新案登録請求の範囲】
【請求項１】
一端部が開口した中空筒体と、この中空筒体を保持する把持体とを具備し、前記中空筒体周面の、飛翔花火導火線側を前記中空筒体の開口一端部から挿入して装填された該飛翔花火の導火線に位置する部分に、開口部を設け、この開口部近傍の前記把持体側に飛翔花火の導火線からの火花を遮蔽する遮蔽体を設けたことを特徴とする飛翔花火発射装置。
【請求項２】
複数個の一端部が開口した中空筒体と、この複数個の中空筒体を保持する把持体とを具備し、前記各々中空筒体周面の、飛翔花火の導火線側を前記中空筒体の開口一端部から挿入して装填された該飛翔花火の導火線に位置する部分に、開口部を設け、各々の開口部が一の該飛翔花火の導火線に着火した際に、他の該飛翔花火の導火線を発火させない位置に配置し、各々の開口部近傍の前記把持体側に飛翔花火の導火線からの火花を遮蔽する遮蔽体を設けたことを特徴とする飛翔花火発射装置。
【請求項３】
前記開口部には、飛翔花火に導火線側を前記中空筒体の開口一端部から挿入する際の該飛翔花火の方向性を示す指示部を設け、この指示部は、記開口部において装填された該飛翔花火の導火線を突出させるための傾斜を有することを特徴とする請求項１乃至請求項２のいずれかに記載の飛翔花火発射装置。
【考案の詳細な説明】
【技術分野】
【０００１】
本考案は、飛翔花火（例えばロケット花火など）を本体装置に簡単且つ短時間に装填して、飛翔花火を所定方向に安全且つ確実に発射する、飛翔花火発射装置に関するものである。
【背景技術】
【０００２】
近年の地球温暖化の影響もあり、山間部における有害鳥獣類（例えば、カラス、野猿、イノシシ、熊等）のエサ不足で、有害鳥獣類が農地や住宅地に出没し、有害鳥獣類による農作物や住民への被害が多発している。特に、野猿は集団で頻繁に農作物を荒らして農家に多大の経済的な損害を与えている。そこで、これらの有害鳥獣類を追放するために種々の対策が講じられている。  
【０００３】
具体的な有害鳥獣類を追放するための対策として、飛翔花火（ロケット花火など）を発射させるものがあり、例えば、先端部が開口された筒体と、該筒体の略中央部に形成されたロケット花火挿入口と、該ロケット花火挿入口に近接し筒体と連通して設けられた導火線保持部を有する把持部と、筒体を挿通可能とし把持部の導火線保持部側端部にて当接するカバー部とから構成される花火銃がある（特許文献１参照）。
【０００４】
これにより、ロケット花火の柄を把持部方向に向けたまま、ロケット花火挿入口からロケット花火を挿入する。このとき導火線は導火線保持部で筒体より外に出した状態で筒体の中に挿入すると共に、カバーを筒体の先端から挿入し、カバーと把持部とを当接させる。そして、導火線保持部によって保持された導火線にライターなどを使用して着火を行うと同時に発射する。  
【０００５】
また例えば、一本の円筒状の本体筒の先端が発射口であって挿入口も兼ね、途中開口部を導火線等の点火口とし、いちばん手元部分が握り手となったロケット花火等の発射装置がある（特許文献２参照）。  
【０００６】
これにより、弾込めは、本体筒を前上がりに保ち、挿入口から花火を入れる。点火は、本体筒を平行に保ち、スライド筒を上部方向に移し、開口部を開けて長いライター等で導火線に点火する。発砲は、導火線に点火後、すばやく発射口を上げて狙いをつけ、同時にスライド筒は、自然に下方へ落ちて開口部が覆われるので、有害鳥獣類に向けて発射する。
【先行技術文献】
【特許文献】
【０００７】
【特許文献１】実用新案登録第３１２４４８１号公報
【特許文献２】特開２００７‐９７５６４号公報
【考案の概要】
【考案が解決しようとする課題】
【０００８】
しかしながら、上記従来の技術においては、以下のような問題が生じる。即ち、飛翔花火（ロケット花火など）を発射装置本体に装填して発射させる際に、カバーあるいはスライド筒をスライドさせる必要があり、このスライドさせるために時間を取られてしまい、飛翔花火の発射が遅れることにより、有害鳥獣類を追放するための対策が遅れてしまうという問題  がある。また、飛翔花火を発射させた後は、カバーあるいはスライド筒が火薬の燃焼により熱くなり、次にスライドさせるのが困難になるという問題がある。
【０００９】
本考案は、かかる問題点に鑑みなされたものであり、飛翔花火を本体装置に簡単且つ短時間に装填できて、飛翔花火を所定方向に安全且つ確実に発射することができる飛翔花火発射装置を提供するものである。
【００１０】
上記課題を解決する為に、本考案の第１の態様に係る飛翔花火発射装置は、一端部が開口した中空筒体と、この中空筒体を保持する把持部とを具備し、前記中空筒体周面の、飛翔花火の導火線側を、前記中空筒体の開口一端部から挿入して装填された該飛翔花火の導火線に位置する部分に、開口部を設け、この開口部近傍の前記把持体側に飛翔花火の導火線からの火花を遮蔽する遮蔽体を設けることを特徴とするものである。
【００１１】
また、本考案の第２の態様に係る飛翔花火発射装置は、複数個の一端部が開口した中空筒体と、この複数個の中空筒体を保持する把持体とを具備し、各々中空筒体周面の、飛翔花火の導火線側を、中空筒体の開口一端部から挿入して装填された飛翔花火の導火線に位置する部分に、開口部を設け、各々の開口部が一の該飛翔花火の導火線に着火した際に、他の該飛翔花火の導火線を発火させない位置に配置し、各々の開口部近傍の把持体側に飛翔花火の導火線からの火花を遮蔽する遮蔽体を設けたことを特徴とするものである。
【００１２】
さらに、本考案の第３の態様に係る飛翔花火発射装置は、第１の態様又は第２の態様のいずれかにおいて、開口部には、飛翔花火の導火線側を中空筒体の開口一端部から挿入する際の該飛翔花火の向きを示す規制板を設け、この規制板は、開口部において装填された該飛翔花火の導火線を突出させるための傾斜を有することを特徴とするものである。
【考案の効果】
【００１３】
本考案の第１の態様に係る飛翔花火発射装置は、以下の効果を有する。即ち、一端部が開口した中空筒体と、この中空筒体を保持する把持体とを具備しているので、本体装置を把持体で保持しつつ飛翔花火を中空筒体内を挿通して発射させることにより、飛翔花火を長距離な先まで移動している有害鳥獣類などに向けて、確実に発射させることができるという効果がある。
【００１４】
また、中空筒体周面の、飛翔花火の導火線側を中空筒体の開口一端部から挿入して装填された該飛翔花火の導火線に位置する部分に、開口部を設けているので、飛翔花火の挿入と装填を簡単且つ短時間に行うことができるという効果がある。
【００１５】
さらに、中空筒体開口部近傍の把持体側に飛翔花火の導火線からの火花を遮蔽する遮蔽体を設けているので、飛翔花火の導火線に着火させて該飛翔花火を発射させる際に、該飛翔花火の火花が、把持体を把持している操作者に飛散するのを遮蔽して、安全に作業することができるという効果がある。また、飛翔花火が発射される際には、飛翔花火の火薬による推進力を効果的に増進させることができるという効果がある。
【００１６】
一方、本考案の第２の態様に係る飛翔花火発射装置は、以下の効果を有する。即ち、複数個の一端部が開口した中空筒体と、この複数個中空筒体を保持する把持体とを具備しているので、連続して広範囲に飛翔花火を発射することができる。また、各々の開口部が一の該飛翔花火の導火線に着火した際に、他の該飛翔花火の導火線を発火させない位置に配置しているので、連続して飛翔花火を発射させる際に、一の飛翔花火の導火線に着火したと同時に他の飛翔花火の導火線に着火されるのを防止することができる。
【００１７】
さらに、本考案の第３の態様に係る飛翔花火発射装置は、以下の効果を有する。即ち、開口部には、飛翔花火の導火線側を中空筒体の開口一端部から挿入する際の該飛翔花火の向きを示す規制板を設けているので、飛翔花火を、規制板に従い所定の向きにして、中空筒体の開口一端部から挿入することができる。また、規制板は、開口部において装填された該飛翔花火の導火線を突出させるための傾斜を有するので、飛翔花火を中空筒体に挿入して装填することにより、自動的に飛翔花火の導火線が突出されるので、着火を簡単に行うことができる。
【００１８】
離れた場所から移動している有害鳥獣類などに向けて安全且つ確実に発射し、飛翔花火の炸裂音と花火特有の火薬臭により、有害鳥獣類などを追放することができる。
【図面の簡単な説明】
【００１９】
【図１】本考案に係る飛翔花火発射装置の平面図
【図２】本考案に係る飛翔花火発射装置の側面図
【図３】本考案に係る飛翔花火発射装置の要部拡大図
【図４】本考案に係る飛翔花火発射装置の使用状態図
【図５】本考案に係る飛翔花火発射装置に使用するロケット花火の平面図
【考案を実施するための最良の形態】
【００２０】
以下、本考案の一実施の形態に係る飛翔花火発射装置を、図面に示す実施例に基づいて具体的に説明する。なお、本考案が本実施例に限定されないことは言うまでもない。
【００２１】
（実施例１）
図１は本考案に係る飛翔花火発射装置の平面図、図２は本考案に係る飛翔花火発射装置の側面図、図４は本考案に係る飛翔花火発射装置の使用状態図、図５は本考案に係る飛翔花火発射装置に使用するロケット花火の平面図である。
【００２２】
図１及び図２に示すように、本考案の飛翔花火発射装置は、一端部が開口した中空筒体１、２と、中空筒体１、２を保持する把持体６とから構成され、中空筒体１、２周面の、飛翔花火の一種であるロケット花火３０（図５に示す）を中空筒体１、２の開口一端部から挿入して（図４に示す）装填されたロケット花火３０の導火線８に位置する部分に、開口部３を設け、開口部３近傍の把持体６側には遮蔽体５を設けている。
【００２３】
これにより、本考案に係る飛翔花火発射装置は、一端部が開口した中空筒体１、２と、中空筒体１、２を保持する把持体６とから構成されているので、本装置を把持体６で保持しつつ飛翔花火の一種であるロケット花火３０を中空筒体１、２内を挿通して発射させることにより、ロケット花火３０を長距離な先まで移動している有害鳥獣類などに向けて確実に発射させることができる。
【００２４】
また、中空筒体１、２周面の、ロケット花火３０の導火線８側を中空筒体１、２の開口一端部から挿入して装填されたロケット花火３０の導火線８に位置する部分に、開口部３を設けているので、ロケット花火３０の挿入と装填を簡単且つ短時間に行うことができる。
【００２５】
また、２本の一端部が開口した中空筒体１、２と、この２本の中空筒体１、２を保持する把持体６とから構成されているので、連続して広範囲にロケット花火３０を発射することができる。
【００２６】
さらに、中空筒体１、２開口部近傍の把持体６側にロケット花火３０の導火線８からの火花を遮蔽する遮蔽体５を設けているので、ロケット花火３０の導火線８に着火させてロケット花火を発射させる際に、ロケット花火３０の火花が、把持体６を把持している操作者に飛散するのを遮蔽して、安全に作業することができる。また、ロケット花火３０が発射される際には、ロケット花火３０の火薬による推進力を効果的に増進させることができる。
【００２７】
一方、中空筒体１、２は、ロケット花火３０と略同径に形成され、またロケット花火３０の全体長と略同じ長さに形成される。さらに、中空筒体１、２と遮蔽体５は何れも耐熱性材或いは難燃性材が望ましく、具体的には金属若しくは難燃性プラスチック等が良い。さらに、把持体６には、紐を通す穴を設けることが望ましく、この紐によりどこにでも携帯可能なようにすることができる。
【００２８】
次に、中空筒体１、２における開口部３a、３ｂについて、図３の本考案に係る飛翔花火発射装置の要部拡大図により説明する。
【００２９】
図３に示すように、各々の開口部３ａ、３ｂは、中空筒体１、２に装填された一のロケット花火３０の導火線８aに着火した際に、他のロケット花火３０の導火線８bを発火させない位置に配置されている。即ち、本実施例においては、各々の開口部３a、３bが互いに直交する方向に開口されている。
【００３０】
これにより、連続してロケット花火３０を発射させる際に、一のロケット花火３０の導火線８に着火したと同時に、他のロケット花火３０の導火線８に着火されるのを防止することができる。
【００３１】
さらに、開口部３a、３bには、ロケット花火３０の導火線８側を中空筒体１、２の開口一端部から挿入する際の該飛翔花火の向きを示す規制板１０a、１０bを設け、この規制板１０a、１０bは開口部３a、３bにおいて装填されたロケット花火３０の導火線８a、８bを突出させるための傾斜を有する。
【００３２】
これにより、開口部３a、３bには、ロケット花火３０の導火線８a、８b側を中空筒体１、２の開口一端部から挿入する際のロケット花火３０の向きを示す規制板１０a、１０bを設けているので、ロケット花火３０を、規制板１０a、１０bに従い所定の向きにして、中空筒体１、２の開口一端部から挿入することができる。
【００３３】
また、規制板１０a、１０bは、開口部３a、３bにおいて装填されたロケット花火３０の導火線８a、８bを突出させるための傾斜を有するので、ロケット花火３０を中空筒体１、２に挿入して装填することにより、自動的にロケット花火３０の導火線８a、８bが突出されるので、着火を簡単に行うことができる。
【００３４】
以上において、野猿を発見したら、予めロケット花火３０を装填した飛翔花火発射装置２０を持って適度な距離を保って野猿に近づき、導火線８にライターなどの着火具を使用して着火を行うと同時に、野猿の位置を狙い発射する。発射されたロケット花火３０は、約数１０ｍ飛翔し、野猿の近くで炸裂し、強烈な爆発音を発すると同時に、花火特有の火薬の臭いを周囲に撒き散らし、効果的に野猿を追放することができる。
【００３５】
（実施例２）
実施例１では、中空筒体が２本の場合を図示及び説明したが、中空筒体は２本に限定されることはなく、１本でも同様な効果を得ることができるし、携帯性の面で優れる。また、状況に応じて３本以上に増やすことも可能である。
【産業上の利用可能性】
【００３６】
以上、本考案による飛翔花火発射装置によれば、ロケット花火を、本体装置に簡単且つ短時間に装填出来て、所定方向に安全且つ確実に発射することができる。また、ロケット花火を数１０ｍ離れた場所にいる野猿などの近くまで到達させて炸裂させ、強烈な爆発音を発すると同時に花火特有の火薬の臭いを周囲に撒き散らし、効果的に野猿を追放することができる。
【符号の説明】
【００３７】
１  中空筒体
２  中空筒体
３  開口部
４  遮蔽体差込
５  遮蔽体
６  把持体
７  ロケット花火の火薬部
８  ロケット花火の導火線
９  ロケット花火の芯棒
１０  開口部
２０  飛翔花火発射装置
３０  ロケット花火
【図１】
0003167027.tif 000003
【図２】
0003167027.tif 000004
【図３】
0003167027.tif 000005
【図４】
0003167027.tif 000006
【図５】
0003167027.tif 000007